(57)【要約】【課題】多機能の画像形成装置において、省エネルギーモード時に、画像形成装置の本体側の電源を完全にＯＦＦしても電源制御を可能とし、且つ起動要求に対して不必要な電源系統までＯＮにしないことを可能とする。【解決手段】多機能の画像形成装置は、ＡＣ電源から電力供給を受ける電源３０で駆動する。電源３０は、画像形成装置を構成するユニット別に電力供給が可能となっており、画像形成装置は、電源制御装置２０を備える。電源制御装置２０は、省エネルギーモード時に、外部機器から電力の供給を受けて駆動し、外部機器又は他の機器からの起動要求若しくはユーザ操作による起動要求を受信する。電源制御装置２０は、省エネルギーモード時に、起動要求を受信した場合、その起動要求に起因する処理に必要なユニットに対してＡＣ電源から電力供給するように電源３０を制御する。【選択図】図２
2012098490.tif 000002
【特許請求の範囲】
【請求項１】
ＡＣ電源から電力供給を受ける電源装置で駆動する多機能の画像形成装置であって、
前記電源装置は、前記画像形成装置を構成するユニット別に電力供給が可能となっており、
前記画像形成装置は、省エネルギーモード時に、外部機器から電力の供給を受けて駆動し、前記外部機器又は他の機器からの起動要求若しくはユーザ操作による起動要求を受信する電源制御装置をさらに備え、
前記電源制御装置は、前記省エネルギーモード時に、前記起動要求を受信した場合、該起動要求に起因する処理に必要なユニットに対して前記ＡＣ電源から電力供給するように、前記電源装置を制御することを特徴とする画像形成装置。
【請求項２】
前記電源制御装置により前記電源装置を介して電力供給がなされるよう制御されたユニットのうち少なくとも一つのユニットは、前記起動要求に起因する処理が完了した場合、前記電源制御装置に処理完了通知を送信し、
前記電源制御装置は、前記処理完了通知を受信した場合、前記起動要求に起因する処理に必要であったユニットに対して前記ＡＣ電源からの電力供給を停止するように、前記電源装置を制御することを特徴とする請求項１に記載の画像形成装置。
【請求項３】
前記外部機器は、コンピュータ又はネットワークハブであることを特徴とする請求項１又は２に記載の画像形成装置。
【請求項４】
前記電源制御装置は、前記外部機器からＵＳＢ規格又はＩＥＥＥ１３９４規格に準拠したケーブルを介して電力の供給を受けることを特徴とする請求項１〜３のいずれか１項に記載の画像形成装置。
【発明の詳細な説明】
【技術分野】
【０００１】
本発明は、画像形成装置に関し、より詳細には、通常時はＡＣ電源から電力供給を受けて駆動する多機能の画像形成装置に関する。
【背景技術】
【０００２】
プリンタ、スキャナ、ファクシミリ等の複数の機能を兼ね備えた多機能の画像形成装置、つまり複合機では、従来からユーザが使用していないときに省エネルギーモードに遷移して電力の消費を抑えている。
【０００３】
そして、このような複合機では、外部からプリントジョブやファクシミリなどを受信することで起動要求を受けると通常動作に復帰する必要があるが、省エネルギーモードであっても、起動要求を受けるため並びに本体電源の制御のために、一部の電源を供給し続ける必要がある。
【０００４】
これに対して、特許文献１には、電力線を有するＵＳＢ（Universal Serial Bus）ケーブルやＩＥＥＥ（Institute of Electrical and Electronics Engineers）１３９４ケーブルを用いて、ホストから待機時に必要な電力を供給することが可能な画像形成装置が開示されている。この画像形成装置では、ホストからの電力供給によって駆動するデータ端末装置を備え、そのデータ端末装置が起動要求に基づき画像形成装置本体の電源のＯＮ／ＯＦＦを制御している。
【先行技術文献】
【特許文献】
【０００５】
【特許文献１】特開２００１−２１１２７４号公報
【発明の概要】
【発明が解決しようとする課題】
【０００６】
しかしながら、特許文献１に記載の画像形成装置では、データ端末装置は画像形成装置本体の電源（メイン電源）をＯＮ／ＯＦＦ制御するだけであるため、どのような起動要求であっても、画像形成装置本体の電源を全てＯＮにしてしまい、無駄な電源系統までＯＮしてしまうことになる。
【０００７】
本発明は、上述のような実状に鑑みてなされたものであり、多機能の画像形成装置において、省エネルギーモード時に、画像形成装置の本体側の電源を完全にＯＦＦしても電源制御を可能とし、且つ起動要求に対して不必要な電源系統までＯＮにしないことを可能とすることを、その目的とする。
【課題を解決するための手段】
【０００８】
上記課題を解決するために、本発明の第１の技術手段は、ＡＣ電源から電力供給を受ける電源装置で駆動する多機能の画像形成装置であって、前記電源装置は、前記画像形成装置を構成するユニット別に電力供給が可能となっており、前記画像形成装置は、省エネルギーモード時に、外部機器から電力の供給を受けて駆動し、前記外部機器又は他の機器からの起動要求若しくはユーザ操作による起動要求を受信する電源制御装置をさらに備え、前記電源制御装置は、前記省エネルギーモード時に、前記起動要求を受信した場合、該起動要求に起因する処理に必要なユニットに対して前記ＡＣ電源から電力供給するように、前記電源装置を制御することを特徴としたものである。
【０００９】
第２の技術手段は、第１の技術手段において、前記電源制御装置により前記電源装置を介して電力供給がなされるよう制御されたユニットのうち少なくとも一つのユニットは、前記起動要求に起因する処理が完了した場合、前記電源制御装置に処理完了通知を送信し、前記電源制御装置は、前記処理完了通知を受信した場合、前記起動要求に起因する処理に必要であったユニットに対して前記ＡＣ電源からの電力供給を停止するように、前記電源装置を制御することを特徴としたものである。
【００１０】
第３の技術手段は、第１又は第２の技術手段において、前記外部機器は、コンピュータ又はネットワークハブであることを特徴としたものである。
【００１１】
第４の技術手段は、第１〜第３のいずれか１の技術手段において、前記電源制御装置は、前記外部機器からＵＳＢ規格又はＩＥＥＥ１３９４規格に準拠したケーブルを介して電力の供給を受けることを特徴としたものである。
【発明の効果】
【００１２】
本発明に係る多機能の画像形成装置によれば、省エネルギーモード時に、画像形成装置の本体側の電源を完全にＯＦＦしても外部機器から電力供給を受けることで電源制御を可能にし、且つ起動要求に対しても不必要な電源系統までＯＮにしないことを可能にする。
【図面の簡単な説明】
【００１３】
【図１】本発明の一実施形態に係る多機能の画像形成装置として適用可能な画像形成装置の一構成例を示す図である。
【図２】本発明の一実施形態に係る多機能の画像形成装置の主要部及びそれに接続された外部機器の一構成例を示すブロック図である。
【図３】本発明の一実施形態に係る多機能の画像形成装置における電源制御の一例を説明するためのフロー図である。
【図４】本発明の一実施形態に係る多機能の画像形成装置の主要部及びそれに接続された外部機器の他の構成例を示すブロック図である。
【発明を実施するための形態】
【００１４】
本発明に係る多機能の画像形成装置について、まず本発明が実施される画像形成装置の一構成例を説明する。図１は、本発明の一実施形態に係る多機能の画像形成装置として適用可能な画像形成装置の一構成例を示す図である。
【００１５】
図１で例示する多機能の画像形成装置１００は、外部から伝達された画像データ又は原稿読み取りにより得られた画像データに基づいて、記録用紙等のシート（以下、記録用紙で説明する）に対して多色又は単色の画像を形成する装置であり、装置本体１１０と、自動原稿処理装置１２０とを含んで構成されている。
【００１６】
装置本体１１０は、露光ユニット１と、４つの画像形成部Ｐと、中間転写ベルト６１を含む中間転写ユニット６と、定着ユニット７と、内部給紙ユニット８１と、手差し給紙ユニット８２と、排紙ユニット９１とを含む。装置本体１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２上に自動で原稿を搬送する。また、自動原稿処理装置１２０は矢印Ｍ方向に回動自在に構成され、原稿載置台９２の上を開放することにより原稿を手置きで置くことができるようになっている。
【００１７】
画像形成装置１００は、ブラック（Ｋ）、並びにカラー画像を色分解して得られる減法混色の３原色であるシアン（Ｃ）、マゼンタ（Ｍ）及びイエロー（Ｙ）の４色の各色相に対応した画像データを用いて、画像形成部Ｐにおいて画像形成を行う。４つの画像形成部Ｐは、中間転写ベルト６１の移動方向（回転方向）に一列に配置されている。
【００１８】
４つの画像形成部Ｐは、それぞれ同様の構成であり、現像ユニット２、感光体ドラム３、クリーナユニット４、及び帯電装置５を有している。感光体ドラム３は像担持体であり、この周囲に、現像ユニット２、クリーナユニット４及び帯電装置５が配置される。また、４つの画像形成部Ｐの各現像ユニット２には、イエロー（Ｙ）、マゼンタ（Ｍ）、シアン（Ｃ）、ブラック（Ｋ）の各色トナーが収容されており、各色に応じた４種類の潜像を形成することが可能になっている。
【００１９】
感光体ドラム３は、円筒状のドラム形状を呈し、図示しない駆動手段によって軸線まわりに回転駆動される。感光体ドラム３は、円筒状の導電性基体、及び、導電性基体の表面に設けられる感光層を有する。
【００２０】
帯電装置５は、帯電ローラを備え、この帯電ローラが感光体ドラム３を臨み、感光体ドラム３の軸線方向に沿って感光体ドラム３の表面に圧接可能に配置される。そして、帯電ローラにより感光体ドラム３の表面を所定の電位に均一に帯電させる。帯電装置５としては、図示しないが、チャージャ型の他、接触型のローラ型やブラシ型の帯電器が用いられることもある。
【００２１】
露光ユニット１は、レーザ出射部及び反射ミラーなどを備えたレーザスキャニングユニット（ＬＳＵ）である。露光ユニット１は、自動原稿処理装置１２０又は外部から伝達された画像データに応じて変調されるレーザ光を出射するレーザ出射部と、レーザ出射部から出射されるレーザ光を主走査方向に偏向させるポリゴンミラーと、ポリゴンミラーにより主走査方向に偏向されるレーザ光を感光体ドラム３の表面に結像するように収束する収束レンズと、収束レンズにより収束されるレーザ光を反射する反射ミラーとを含んで構成される。
【００２２】
レーザ出射部から出射されるレーザ光は、ポリゴンミラーにより偏向され、さらに収束レンズにより収束され、反射ミラーによって反射されて、所定の電位及び極性に帯電する感光体ドラム３の表面に照射され、画像データに応じた静電潜像が感光体ドラム３に形成される。なお、露光ユニット１としては、レーザスキャニングユニット（ＬＳＵ）の他、ＥＬ（Electro Luminescence）やＬＥＤ（Light Emitting Diode）などの発光素子をアレイ状に並べた書込み装置（例えば、書込みヘッド）を使用することもできる。
【００２３】
現像ユニット２は、感光体ドラム３に対向し且つ圧接するように設けられ、感光体ドラム３の表面に形成される静電潜像に現像剤であるトナーを供給して、静電潜像を顕像化させるものである。クリーナユニット４は、現像・画像転写後における感光体ドラム３の表面に残留したトナーを、除去・回収する。中間転写ユニット６は、感光体ドラム３の上方に配置され、中間転写ベルト６１、中間転写ベルト駆動ローラ６２、中間転写ベルト従動ローラ６３、一次転写ローラ６４、及び中間転写ベルトクリーニングユニット６５を備えている。
【００２４】
中間転写ベルト６１は、中間転写ベルト駆動ローラ６２と中間転写ベルト従動ローラ６３との間に張架されてループ状の移動経路を形成している無端状のベルト部材であり、その厚みは１００μｍ〜１５０μｍ程度である。この中間転写ベルト６１を挟んで感光体ドラム３に対向する位置に、一次転写ローラ６４が配置されている。中間転写ベルト６１が感光体ドラム３に対向する位置が一次転写位置である。
【００２５】
一次転写ローラ６４には、感光体ドラム３の表面に担持されたトナー像を中間転写ベルト６１上に転写するために、トナーの帯電極性と逆極性の一次転写バイアスが定電圧制御によって印加される。これによって、感光体ドラム３に形成された各色相のトナー像は中間転写ベルト６１の外周面に順次重ねて転写され、中間転写ベルト６１の外周面にフルカラーのトナー像が形成される。但し、イエロー、マゼンタ、シアン、及びブラックの色相の一部のみの画像データが入力された場合には、４つの画像形成部Ｐの各感光体ドラム３のうち、入力された画像データの色相に対応する一部のみにおいて静電潜像及びトナー像の形成が行われる。
【００２６】
例えば、モノクロ画像形成時には、ブラックの色相に対応した感光体ドラム３のみにおいて静電潜像の形成及びトナー像の形成が行われ、中間転写ベルト６１の外周面にはブラックのトナー像のみが転写される。一次転写ローラ６４は、直径８〜１０ｍｍの金属（例えば、ステンレス）を素材とする軸の表面を導電性の弾性材（例えば、ＥＰＤＭ：エチレンプロピレン共重合ゴム、発泡ウレタンなど）により被覆して構成されており、導電性の弾性材によって中間転写ベルト６１に均一に高電圧を印加する。ここでは転写電極としてローラ形状を使用しているが、それ以外にブラシなども用いることが可能である。
【００２７】
一次転写ローラ６４によって中間転写ベルト６１の外周面に転写されたトナー像は、中間転写ベルト６１の回転によって、二次転写ローラ１０との対向位置である二次転写位置に搬送される。
【００２８】
二次転写ローラ１０は、画像形成時において、内周面が中間転写ベルト駆動ローラ６２の周面に接触する中間転写ベルト６１の外周面に所定のニップ圧で圧接されている。内部給紙ユニット８１又は手差し給紙ユニット８２から給紙された記録用紙が二次転写ローラ１０と中間転写ベルト６１との間を通過する際に、二次転写ローラ１０にトナーの帯電極性とは逆極性の高電圧が印加される。つまり、二次転写ローラ１０にはトナーを用紙に転写させるための電圧が印加される（トナーの帯電極性（−）とは逆極性（＋）の高電圧）。これによって、中間転写ベルト６１の外周面から記録用紙の表面にトナー像が転写される。また、二次転写ローラ１０は上記ニップを定常的に得るために、二次転写ローラ１０若しくは中間転写ベルト駆動ローラ６２の何れか一方を硬質材料（金属等）とし、他方を弾性ローラ等の軟質材料（弾性ゴムローラ、又は発泡性樹脂ローラ等々）が用いられる。
【００２９】
このようにして、各感光体ドラム３上で各色相に応じて顕像化された静電像は中間転写ベルト６１で積層され、積層された画像情報は中間転写ベルト６１の回転によって、記録用紙と中間転写ベルト６１の接触位置に配置される二次転写ローラ１０によって記録用紙上に転写される。
【００３０】
感光体ドラム３の一部又は全部から中間転写ベルト６１に付着したトナーのうち記録用紙上に転写されずに中間転写ベルト６１上に残存したトナーは、次工程での混色を防止するために、中間転写ベルトクリーニングユニット６５によって除去・回収される。中間転写ベルトクリーニングユニット６５には、中間転写ベルト６１に当接してトナーを除去するクリーニングブレードが備えられている。クリーニングブレードが接触する中間転写ベルト６１は、裏側から中間転写ベルト従動ローラ６３で支持されている。
【００３１】
定着ユニット７は、ヒートローラ７１及び加圧ローラ７２を有する。ヒートローラ７１及び加圧ローラ７２は、記録用紙を挟んで回転するようになっている。トナー像が転写された記録用紙は、定着ユニット７へ導かれ、ヒートローラ７１と加圧ローラ７２との間を通過することで加熱及び加圧される。これによって、トナー像が、記録用紙の表面に堅牢に定着する。なお、定着ユニット７においてヒートローラ７１には、外部からヒートローラ７１を加熱する外部定着ベルト（外部加熱ベルト）７３が接触して設けられ、図示しない温度検出器によって検出される温度データに基づいて、ヒートローラ７１が所定の定着温度となるように制御される。ヒートローラ７１は、上記所定の定着温度で、加圧ローラ７２とともにトナーを記録用紙に熱圧着することにより、記録用紙に転写された多色トナー像を溶融・混合・圧接し、記録用紙に対して熱定着させる。トナー像が定着した記録用紙は、搬送ローラ１２ｂによって排紙ユニット９１上へ排出される。
【００３２】
内部給紙ユニット（給紙カセット）８１は、画像形成に使用する記録用紙を蓄積しておくためのトレイであり、装置本体１１０の露光ユニット１の下側に設けられている。また、手差し給紙ユニット（手差し給紙カセット）８２にも画像形成に使用する記録用紙を置くことができる。また、装置本体１１０の上方に設けられている排紙ユニット９１は、印刷済みの記録用紙をフェイスダウンで集積するためのトレイである。
【００３３】
画像形成装置１００には、内部給紙ユニット８１及び手差し給紙ユニット８２に収容されている記録用紙を二次転写ローラ１０と中間転写ベルト６１との間及び定着ユニット７を経由して排紙ユニット９１へ送るための略垂直方向に延びる用紙搬送路Ｓが設けられている。用紙搬送路Ｓの近傍には、ピックアップローラ１１ａ，１１ｂ、複数の搬送ローラ１２ａ〜１２ｄ、レジストローラ１３、二次転写ローラ１０、定着ユニット７等が配置されている。
【００３４】
搬送ローラ１２ａ〜１２ｄは、記録用紙の搬送を促進・補助するための小型のローラであり、用紙搬送路Ｓに沿って複数設けられている。また、ピックアップローラ１１ａは、内部給紙ユニット８１の端部近傍に備えられ、内部給紙ユニット８１から記録用紙を１枚ずつピックアップして用紙搬送路Ｓに供給する。同様にまた、ピックアップローラ１１ｂは、手差し給紙ユニット８２の端部近傍に備えられ、手差し給紙ユニット８２から記録用紙を１枚ずつピックアップして用紙搬送路Ｓに供給する。また、レジストローラ１３は、用紙搬送路Ｓを搬送されている記録用紙を一旦保持するものであり、感光体ドラム３上のトナー像の先端と記録用紙の先端を合わせるタイミングで記録用紙を二次転写ローラ１０に搬送する機能を有している。
【００３５】
画像形成装置１００において、内部給紙ユニット８１及び手差し給紙ユニット８２から搬送される記録用紙は、用紙搬送路Ｓの搬送ローラ１２ａによってレジストローラ１３まで搬送され、レジストローラ１３によって所定のタイミングで二次転写ローラ１０に搬送されて、二次転写ローラ１０と中間転写ベルト６１との間を通過したときにトナー像が転写される。トナー像が転写された記録用紙は、定着ユニット７を通過することによってトナー像が熱で溶融・固着され、搬送ローラ１２ｂを経て排紙ユニット９１上に排出される。
【００３６】
また、画像形成装置１００において、記録用紙の両面に画像を形成する両面印字の場合には、片面印字が終了し定着ユニット７を通過した記録用紙は、その後端が搬送ローラ１２ｂで把持されたときに、搬送ローラ１２ｂが逆回転することによって記録用紙を搬送ローラ１２ｃ，１２ｄに導く。搬送ローラ１２ｃ、１２ｄに導かれた記録用紙は、レジストローラ１３、二次転写ローラ１０及び定着ユニット７を通過し、裏面の印字が行われて、排紙ユニット９１に排出される。
【００３７】
図１を参照しながら画像形成装置１００について主に原稿読み取り及びプリントの機構について説明したが、次に、画像形成装置１００等の一般的な多機能の画像形成装置に適用可能な本発明に係る画像形成装置の主たる特徴について、図２及び図３を参照しながら説明する。
【００３８】
図２は、本発明の一実施形態に係る多機能の画像形成装置の主要部及びそれに接続された外部機器の一構成例を示すブロック図で、本実施形態に係る画像形成装置は、その主要部として、電源制御装置２０、電源装置３０（以下、単に「電源３０」と呼ぶ）、及び各種のユニット４１〜４５を備える。また、外部機器としてはＰＣ等が挙げられ、その外部機器にＵＳＢ用のホストコントローラ（ＨＯＳＴ）５１が搭載された例を挙げている。このように、ＨＯＳＴ５１を搭載したＰＣと画像形成装置とで構成されたシステムにより、例えば文書を作成してそれをプリントする処理を行うことなど、様々な処理が可能となっている。
【００３９】
プリンタユニット４１は、画像形成装置におけるプリント機能の主たる部分を担うユニットで、後述のＮｅｔｗｏｒｋ  Ｉ／Ｆを介してプリントジョブを受信し、プリントを実行する。プリンタユニット４１は、図１で例示したような露光ユニット１、画像形成部Ｐ、定着ユニット７等を有する。スキャナユニット４２は、画像形成装置におけるスキャン機能の主たる部分を担うユニットで、図１で例示したような自動原稿処理装置１２０や原稿読み取り位置に具備された原稿読取部等を有する。ＦＡＸ制御ユニット４４は、画像形成装置におけるファクシミリ機能の主たる部分を担う部位であり、後述のＦＡＸ  Ｉ／Ｆとともにファクシミリデータの送受信を行う。
【００４０】
ＨＤＤユニット４５は、画像形成装置における各機能でページメモリとして使用する領域を提供するためのＨＤＤ（Hard Disk Drive）とその駆動装置とを有する。ＨＤＤユニット４５は、例えば、プリントジョブから展開した画像データを一時的に保持する処理、スキャンしたデータを記憶する処理、ファクシミリデータを記憶したり一時的に保持する処理などを実行する。また、表示ユニット４３は、タッチセンサが埋め込まれるなどした表示パネルを有し、ユーザインターフェース画像を表示したりユーザからの操作を受け付けるユニットである。
【００４１】
このようにプリンタユニット４１、スキャナユニット４２、ＦＡＸ制御ユニット４４はそれぞれプリンタ機能、スキャン機能、ファクシミリ機能でのみ使用され、ＨＤＤユニット４５は複数の機能で使用される。このように、本発明に係る画像形成装置は、複数の機能をもっており、外部からの要求に応じた機能、表示ユニット４３からのユーザ操作に応じた機能が実行可能になっている。なお、本発明に係る画像形成装置が、ここで例示する以外の機能をもつ装置であっても同様に適用できる。
【００４２】
そして、電源３０は、ＡＣ電源（商用電源）から電力供給を受ける装置である。本発明に係る画像形成装置は、通常時には、この電源３０によりＡＣ電源からの供給で駆動し、外部からの処理命令、表示ユニット４３や後述する別途設けた操作ボタンによるユーザ操作が一定期間検出されなかったりすることで、省エネルギーモードに移行することが可能となっている。省エネルギーモードとは通常より省エネルギーで稼動させるモードを指し、このモード中は省電力で待機することができる。なお、上記一定期間はユーザ設定可能とすればよい。
【００４３】
そして、電源３０は、画像形成装置を構成するユニット４１〜４５別に電力供給が可能となっている。図２ではその様子を、プリンタユニット電源３１、スキャナユニット電源３２、表示ユニット電源３３、ＦＡＸ制御ユニット電源３４、及びＨＤＤ電源３５として分けて図示しているが、実際には、ユニット別の電力供給のために、電力供給先のそれぞれに対して電力供給をＯＮ／ＯＦＦ（開始／遮断）するためのスイッチを設けておくなどしてもよい。
【００４４】
電源３０では、通常時には各ユニット４１〜４５に対してＡＣ電源からの直接の電力供給がなされているが、省エネルギーモードに遷移すると、各ユニット４１〜４５に対するＡＣ電源からの直接の電力供給は遮断される。なお、図２で例示したように、ユニット４１等と機能とは１対１に対応する必要はないが、１対１に対応させるように画像形成装置を構成してもよい。
【００４５】
そして、電源制御装置２０は、省エネルギーモード時に、外部機器からケーブル経由で電力の供給を受けて駆動する。図２の例では、電源制御装置２０がＵＳＢ  Ｉ／Ｆ２２を備え、ＵＳＢケーブルを介してＨＯＳＴ５１から１対の電力線（ＶＢＵＳ，ＧＮＤ）により電力供給を受けている。電源制御装置２０は、少なくとも省エネルギーモード時にはＨＯＳＴ５１からの電源（ここではＵＳＢのＶＢＵＳ電源）により電力が供給されているため、電源３０が遮断された場合においても動作が可能である。このように、省エネルギーモードへの移行時には、ＡＣ電源から直接電力の供給を受けずに外部機器からの電力で待機することになる。また、ＵＳＢ  Ｉ／Ｆ２２や他のＩ／Ｆ２３は、通常時にもＨＯＳＴ５１から電力供給を行うようにしてもよいが、例えば通常時には電源３０からＶＢＵＳより高い電圧を印加するなどして電源３０から電力供給を行うようにしてもよい。
【００４６】
なお、ここでは、電源制御装置２０が常に外部機器から電力供給が可能な状態であることを前提として説明している。例えば、小型の複合機をＰＣにＵＳＢ接続して使用する場合、複合機がＯＮしているときにはＰＣの電源がＯＮしていることが多いと考えられる。そのため、ＵＳＢケーブルから電力供給を受けることができる。また、常に外部機器から電力供給が可能な状態でなくても、本発明は実現できる。例えば、省エネルギーモードに移行する際に電源制御装置２０が外部機器から電力供給を受けることが可能な状態か否かを電源制御装置２０自身が判定し、ＹＥＳの場合のみ移行を認め、ＮＯの場合には移行を認めないようにしておくなどすればよい。
【００４７】
さらに、電源制御装置２０は、外部からの起動要求、つまり外部機器又は他の機器からの起動要求や、ユーザ操作による起動要求を受信する。例えば、電源制御装置２０は、ＵＳＢ  Ｉ／Ｆ２２や他のＩ／Ｆ２３を備え、ＵＳＢ  Ｉ／Ｆ２２及び他のＩ／Ｆ２３を介してＨＯＳＴ５１や他の機器から処理命令を受信する。他のＩ／Ｆ２３としては、Ｅｔｈｅｒｎｅｔ（登録商標）等のＮｅｔｗｏｒｋ  Ｉ／ＦやＦＡＸ  Ｉ／Ｆ、さらには画像形成装置本体に設けられた操作ボタンなどが挙げられる。また、Ｅｔｈｅｒｎｅｔ（登録商標）等のＮｅｔｗｏｒｋ  Ｉ／Ｆ、ＦＡＸ  Ｉ／Ｆは、それぞれ他の回線５２におけるＥｔｈｅｒｎｅｔ（登録商標）、ＦＡＸ回線に接続されている。なお、この操作ボタンは、表示ユニット４３とは異なるものとし、例えば表示ユニットの隣りなどに配設されていればよい。
【００４８】
ここで、待機状態となっている画像形成装置に対してＨＯＳＴ５１側や他の機器側は、最初に起動要求を送信して起動させてから実際のジョブを送信するようにしてもよい。従って、待機状態の画像形成装置は処理命令としての起動要求を受信し、後述のように起動要求に起因する処理に必要なユニットを起動してから、ジョブを受信しそれらのユニットでジョブを処理することになる。一方で、最初に受信する処理命令に、省エネルギーモード状態からの起動要求の命令が直接記述されていてもよいし、記述されていなくてもよい。前者の場合にはその起動要求を読み出して処理すればよく、後者の場合でも、受信した処理命令によって省エネルギーモード状態から起動しないと処理が施せないため、処理命令は起動要求に相当する命令を含むと言える。以下、説明の簡略化のため、待機状態でジョブデータを含む起動要求を受信する例を挙げて説明する。
【００４９】
なお、電源制御装置２０では、ＨＯＳＴ５１や他の機器から受信した画像データ等のジョブデータ自体についてはスルーするように構成しておけばよい。これにより、ジョブデータについては受信したＩ／Ｆに接続されたユニット、つまりそのジョブの処理を実行するユニット（ユニット４１，４２，４４，４５等のいずれか）が受信できる。
【００５０】
そして、電源制御装置２０は、起動要求を受信した場合、その起動要求に起因する（一連の）処理に必要なユニットに対して、ＡＣ電源から電力供給するように、電源３０を制御する。この制御は、ユニット別電源制御部２１で行うものとして説明する。ユニット別電源制御部２１には、起動要求の内容を解析するか、若しくは起動要求を受信したＩ／Ｆを判断し、解析又は判断した結果に基づきその起動要求に起因する一連の処理に必要なユニットを判定すればよい。この判定は、予め格納しておいたテーブルに基づき実行するなどすればよい。
【００５１】
具体的な例を挙げると、起動要求が外部からのプリントジョブの受信であった場合、つまりＨＯＳＴ５１からのプリント要求であった場合、その処理に必要なユニットはプリンタユニット４１及びＨＤＤユニット４５であり、これらのユニット４１，４５の電力供給を開始するように、ユニット別電源制御部２１が電源３０のプリンタユニット電源３１及びＨＤＤ電源３５に対してＯＮ要求を行う。このように電力供給を必要なユニットについてのみ受けた画像形成装置は、必要最低限の電力でプリント処理を実行することができる。
【００５２】
また、起動要求が外部からのスキャンＴＯファイルの命令の受信であった場合、つまりＨＯＳＴ５１からの原稿読取要求であった場合、その処理に必要なユニットはスキャナユニット４２及びＨＤＤユニット４５であり、これらのユニット４２，４５の電力供給を開始するように、ユニット別電源制御部２１が電源３０のスキャナユニット電源３２及びＨＤＤ電源３５に対してＯＮ要求を行う。このように電力供給を必要なユニットについてのみ受けた画像形成装置は、必要最低限の電力でスキャン処理及びファイリング処理を実行することができる。スキャン機能では例えば定着ユニットのような大きな電力を必要とする部位を含むプリンタユニット４１は立ち上げる必要がないため、特に省電力化が図れる。
【００５３】
また、起動要求が他の回線５２の一部として例示したＦＡＸ回線からＦＡＸ  Ｉ／Ｆを介して受信したファクシミリ受信要求であった場合、その処理に必要なユニットはＦＡＸ制御ユニット４４及びＨＤＤユニット４５であり、これらのユニット４４，４５の電力供給を開始するように、ユニット別電源制御部２１が電源３０のＦＡＸ制御ユニット電源３４及びＨＤＤ電源３５に対してＯＮ要求を行う。ここでは、省エネルギーモードでは、ＦＡＸ制御ユニット４４は、ＦＡＸ  Ｉ／Ｆで受信したファクシミリデータについて記憶するように、つまりメモリ受信を行うように設定されているものとして説明している。なお、メモリ受信したファクシミリデータについては、ユーザが電源をＯＮしたときに印字するなどすればよい。省エネルギーモードでもＦＡＸ制御ユニット４４がプリンタユニット４１に印字指示を行い、印字までさせることも可能であるが、その場合には定着ユニットのような大きな電力を必要とする部位を含むプリンタユニット４１までユニット別電源制御部２１がＯＮに制御する必要が生じるため、省エネルギーの観点からメモリ受信の方が好ましい。
【００５４】
このように、受信した起動要求（外部命令）の内容に応じてユニット毎に電源ＯＮを制御するが、判定の結果として起動要求に起因する処理に必要なユニットが複数存在する場合には、その複数のユニットを立ち上げる。無論、判定の結果として必要なユニットが１つだけであった場合には、その１つのユニットのみを立ち上げればよく、判定の結果として必要なユニットが全ユニットであった場合（ユーザによる復帰操作であった場合も含む）には、全てのユニットを立ち上げればよい。なお、このようにして判定によってＡＣ電源からの電力供給をユニット別に開始した状態は、通常動作時ではなく、未だに省エネルギーモードの一種であり、部分的な省エネルギーモードに遷移したと言える。
【００５５】
また、電源制御装置２０が、ＨＯＳＴ５１等の外部機器からＵＳＢ規格に準拠したケーブルを介して電力の供給を受ける例を挙げて説明しているが、例えばＩＥＥＥ１３９４規格など他の規格に準拠したケーブルを介して電力の供給を受けるように構成してもよい。この場合にはこのケーブルからの起動要求もユニット別電源制御部２１は受信できるようにしておけばよい。なお、ケーブル経由の代わりに無線で電力供給を受けるように構成することも技術的には可能である。
【００５６】
以上、本発明によれば、省エネルギーモード時に、例えばＶＢＵＳ電源などを待機電源に用いて画像形成装置本体の電源制御を行うことで、画像形成装置の本体側の電源を完全にＯＦＦしても電源制御が可能になり、消費電力を抑えることができる。さらに、本発明によれば、スキャン、プリントなど、ＨＯＳＴからの起動要求やユーザ操作によって入力された起動要求に対してユニット別に電源制御を行い、その起動要求に起因する処理に必要なユニットだけ、つまり起動要求される機能（モード）での動作に必要なユニットだけ、適切にＯＮ制御する。従って、本発明によれば、不必要な電源系統までＯＮにしてしまうこともなくなり、効率的な電源制御が可能になる。すなわち、本発明に係る画像形成装置では、起動要求に合った電源系統を電源制御装置２０で判断しているため、不必要な電源起動を行わず、消費電力の効率化が図れる。
【００５７】
次に、このような部分的な省エネルギーモードから、全く電源３０からの電力供給を受けない省エネルギーモードへの復帰について説明する。
【００５８】
ユニット別電源制御部２１により電源３０を介して電力供給がなされるよう制御されたユニット（つまりＯＮ制御されたユニット）のうち少なくとも一つのユニットは、起動要求に起因する（一連の）処理が完了した場合、電源制御装置２０に処理完了通知を送信するようにしておく。
【００５９】
電源制御装置２０は、処理完了通知を受信した場合、ユニット別電源制御部２１が、起動要求に起因する処理に必要であったユニットに対してＡＣ電源からの電力供給を遮断（停止）するように、電源３０を制御する。例えば、上述の起動要求がプリントジョブの受信であった例の場合には、ユニット４１，４５の電力供給が開始されていたため、ユニット別電源制御部２１それらの電力供給を遮断する制御をプリンタユニット電源３１及びＨＤＤ電源３５に対して行う。
【００６０】
このように、稼動しているユニットが処理完了通知を電源制御装置２０に返すと、ユニット別電源制御部２１がそのユニットの電源に対してＯＦＦ制御を行うことで、ＨＯＳＴ５１からの起動要求に対する画像形成装置の動作が完了した場合、起動していたユニットの電源を遮断すること、つまり不必要となった電力供給を停止することができるため、消費電力の低減がより図れる。
【００６１】
図２の構成例における処理の流れの一例について、図３を参照しながら簡単に説明する。図３は、本発明の一実施形態に係る多機能の画像形成装置における電源制御の一例を説明するためのフロー図である。
【００６２】
まず、画像形成装置における図示しない主制御部が、省エネルギーモード移行の判定を行う（ステップＳ１）。省エネルギーモードへの移行条件としては、ユーザ操作による省エネルギーモードへの遷移命令や、最後のジョブ完了やキー入力から一定時間の経過などが移行トリガとなる。省エネルギーモードに移行すると、主制御部が電源３０に対して各ユニットの電源を全て遮断するように制御し、電源３０が遮断される（ステップＳ２）。
【００６３】
次に、ＵＳＢ  Ｉ／Ｆ２２又は他のＩ／Ｆ２３で、外部からの起動要求を検知する（ステップＳ３）。ここでの起動要求は、例えば、ＵＳＢケーブル、Ｅｔｈｅｒｎｅｔ（登録商標）、ＦＡＸ回線、本体の操作ボタンからのプリントジョブ、スキャンジョブ、ＦＡＸ受信、ユーザによる入力などである。
【００６４】
起動要求を検知すると（ステップＳ３でＹＥＳの場合）、その起動要求に基づき、適切な電力供給を判断し、必要な箇所、つまり必要なユニットにのみ給電を行う（ステップＳ４）。そして、給電後、動作が完了したか否かを検知し（ステップＳ５）、処理完了通知（動作完了通知）を受信することで動作完了を検知すると、ステップＳ１に戻る。このとき、その起動要求に必要であった全ユニット（他の起動要求で必要であるユニットを除く）についてＯＦＦ制御する。
【００６５】
なお、判定の結果として必要なユニットが全ユニットであった場合には全てのユニットを立ち上げて通常動作に戻ることを説明したが、代わりに全てのユニットを立ち上げた場合にも通常動作に戻らず、ここで説明したような処理完了通知の受信及びそれに基づくＯＦＦ制御を行うようにしておいてもよい。
【００６６】
また、電源制御装置２０は、少なくとも省エネルギーモード（上述の部分的な省エネルギーモードを含む）時に起動要求の受信が可能となっていればよく、例えば２回続いて別の起動要求が来た場合、１つ目の起動要求についての処理完了通知を受信前であっても、２つ目の起動要求についても受信し、ユニット別電源制御部２１がユニット別の電源ＯＮ／ＯＦＦ制御を行う。ＯＦＦ制御については、上述したように受信した起動要求に必要であった全ユニットのうち他の起動要求で必要であるユニットを除いて施せばよい。
【００６７】
図４は、本発明の一実施形態に係る多機能の画像形成装置の主要部及びそれに接続された外部機器の他の構成例を示すブロック図である。
図２では、外部機器としてＰＣ（コンピュータ）を採用した例を示したが、電力を電源制御装置２０に対して供給できればよく、例えばＨＯＳＴ５１を搭載したＰＣの代わりに図４に例示したように、電源アダプタ付きのＵＳＢハブ等のネットワークハブ（ＨＵＢ）５３を採用してもよい。
【００６８】
この例では、ＨＵＢ５３はＡＣ電源から電力供給を受けており、ホストコントローラを具備したＰＣ５４に接続されると共に、他のＵＳＢ対応機器５５，５６にも接続されている。これにより、図２の例と同様にＰＣ５４からのプリントジョブなどを処理することができる。無論、ＨＵＢ５３がＰＣ５４から電力供給を受けているような場合は、ＨＵＢ５３は単なる延長ケーブルと代わらず、図２の構成と基本的に同様の構成になる。
【００６９】
以上、図２〜図４で説明した例では、本体に表示ユニット４３とは別途設けた操作ボタンの押下の検出に基づいてもユニット別の電源制御を行うものとして説明した。この点について補足すると、例えば操作ボタンのうち押下されたのがプリント実行ボタンの検出であれば、プリント機能のユニット４１，４５のみをＯＮ制御すればよい。同様に、画像形成装置本体に別途設けた人感センサによる人の検出、原稿押さえ白板（ＯＣマット）と原稿台ガラスとの角度が所定角度を超えたことの検出などについても、ユニット別の電源制御を行うようにしてもよい。人の検出や角度の検出であれば、コピー機能、ファクシミリ機能、スキャナ機能のいずれかを使用する可能性があるため、それらの機能に係わるユニットである、プリンタユニット４１、スキャナユニット４２、ＦＡＸ制御ユニット４４、ＨＤＤユニット４５、及び表示ユニット４３（操作も行うことが想定されるため）をＯＮ制御し、他のユニットがあればそれについてはＯＦＦのままにする。
【００７０】
しかし、操作ボタンの押下の検出による起動要求、及び／又は、人の検出や角度の検出などの他のユーザ操作による起動要求については、通常通り本体全体を起動させるように、つまり省エネルギーモードから通常動作に復帰するようにしておいてもよい。このように電源制御装置２０が外部からの起動要求に対してのみユニット別の電源制御を行い、ユーザ操作による起動要求に対しては画像形成装置全体での電源制御を行うようにすることで、ユーザがどのような処理を行いたいかに依らずどのような場面にも対応することができる。
【符号の説明】
【００７１】
１…露光ユニット、２…現像ユニット、３…感光体ドラム、４…クリーナユニット、５…帯電装置、６…中間転写ユニット、７…定着ユニット、１０…二次転写ローラ、１１ａ，１１ｂ…ピックアップローラ、１２ａ，１２ｂ，１２ｃ，１２ｄ…搬送ローラ、１３…レジストローラ、２０…電源制御装置、２１…ユニット別電源制御部、２２…ＵＳＢ  Ｉ／Ｆ、２３…他のＩ／Ｆ、３０…電源、３１…プリンタユニット電源、３２…スキャナユニット電源、３３…表示ユニット電源、３４…ＦＡＸ制御ユニット電源、３５…ＨＤＤ電源、４１…プリンタユニット、４２…スキャナユニット、４３…表示ユニット、４４…ＦＡＸ制御ユニット、４５…ＨＤＤユニット、５１…ＨＯＳＴ、５２…回線、５３…ＨＵＢ、５４…ＰＣ、５５，５６…ＵＳＢ対応機器、６１…中間転写ベルト、６２…中間転写ベルト駆動ローラ、６３…中間転写ベルト従動ローラ、６４…一次転写ローラ、６５…中間転写ベルトクリーニングユニット、７１…ヒートローラ、７２…加圧ローラ、７３…外部定着ベルト、８１…内部給紙ユニット、８２…手差し給紙ユニット、９１…排紙ユニット、９２…原稿載置台、１００…画像形成装置、１１０…装置本体、１２０…自動原稿処理装置。
【図１】
2012098490.tif 000003
【図２】
2012098490.tif 000004
【図３】
2012098490.tif 000005
【図４】
2012098490.tif 000006